(57)【要約】【課題】非表示領域の異常点灯を防止して表示不良のない良好な液晶表示を実現することができる液晶表示素子およびその除電方法を提供する。【解決手段】二枚のパネル基板２４，２５の両内側表面上における非表示領域１３上に、一対の除電用ダミー電極２６，２７を形成し、一方の除電用ダミー電極２７から引き出されたリード端子２７ａを端子部１５に延出させて、この端子部１５に電気的に接続された可撓配線基板２０と接続し、他方の除電用ダミー電極２６から引き出されたリード端子２６ａをパネル基板２４の延出部３０に延出するとともに、前記延出部３０に配設された除電手段３１と電気的に接続する。【選択図】      図１
2004233890.tif 000002
【特許請求の範囲】
【請求項１】
互いに対向する両内側表面における表示領域上に表示電極が形成された二枚のパネル基板がシールを介して互いに貼り合わされ、前記二枚のパネル基板および前記シールによって囲繞された空間内に液晶が封入され、一方のパネル基板に前記表示電極から引き出されたリード端子を有する端子部が形成され、前記端子部上に可撓配線基板が接続されている液晶表示素子において、
前記二枚のパネル基板の互いに対向する両内側表面上における非表示領域上に一対の除電用ダミー電極が形成され、前記端子部が形成された一方のパネル基板側の除電用ダミー電極は、その一部が前記端子部に延出されて、該端子部に接続された前記可撓配線基板と電気的に接続され、他方のパネル基板側の除電用ダミー電極は前記他方のパネル基板に形成された延出部にその一部が延出されるとともに、前記延出部に配設された除電手段と電気的に接続されていることを特徴とする液晶表示素子。
【請求項２】
前記除電手段は、可撓配線基板またはインターコネクタを備えた基板である請求項１に記載の液晶表示素子。
【請求項３】
互いに対向する両内側表面における表示領域上に表示電極が形成された二枚のパネル基板がシールを介して互いに貼り合わされ、前記二枚のパネル基板および前記シールによって囲繞された空間内に液晶が封入され、一方のパネル基板に前記表示電極から引き出されたリード端子を有する端子部が形成され、前記端子部上に可撓配線基板が電気的に接続された液晶表示素子に帯電した電荷の除去を行う液晶表示素子の除電方法において、
前記二枚のパネル基板の互いに対向する両内側表面上における非表示領域上に、一対の除電用ダミー電極を形成し、前記端子部が形成された一方のパネル基板の除電用ダミー電極の一部を前記端子部に延出させて前記端子部に接続された前記可撓配線基板に電気的に接続させるとともに、他方のパネル基板の除電用ダミー電極の一部を前記他方のパネル基板に形成された延出部に延出させて該延出部に配設される除電手段に電気的に接続させることを特徴とする液晶表示素子の除電方法。
【請求項４】
前記除電手段として、可撓配線基板またはインターコネクタを備えた基板を用いる請求項３に記載の液晶表示素子の除電方法。
【発明の詳細な説明】
【０００１】
【産業上の利用分野】
本発明は、液晶表示素子およびその除電方法に係り、特に、非表示領域の異常点灯を防止するのに好適な液晶表示素子およびその除電方法に関する。
【０００２】
【従来の技術】
従来から、携帯電話等の電子機器における表示手段として、液晶分子の旋光性を利用して表示を行う液晶表示素子が採用されていた。
【０００３】
図５は、このような液晶表示素子の一例を示したものであり、この液晶表示素子１は、視認側のフロント側パネル基板２と、反視認側のリア側パネル基板３とからなる互いに対向する二枚のパネル基板２，３を有している。これら二枚のパネル基板２，３は、枠状のシール４を介して互いに貼り合わされ、両パネル基板２，３および前記シール４によって囲繞された空間内には、液晶５が封入されている。
【０００４】
前記フロント側パネル基板２および前記リヤ側パネル基板３は、それぞれガラス等からなる透明基板７，８の互いに対向する両内側表面における表示領域９上に、互いに交差するように形成された酸化インジウムスズ（ＩＴＯ）等からなる縞状の一対の表示電極１１，１２を有している。これら一対の表示電極１１，１２のうち、フロント側パネル基板２の表示電極１１は、走査電極（コモン電極）として機能するようになっている。一方、前記リヤ側パネル基板３の表示電極１２は、信号電極（セグメント電極）として機能するようになっている。
【０００５】
そして、前記フロント側の表示電極１１は、前記シール４の内部に配設された導電性ビーズ等からなる図示しないトランスファを介して互いに導通されている。なお、前記フロント側パネル基板２および前記リヤ側パネル基板３の両内側表面における前記表示領域９の外側の領域は、非表示領域１３とされている。
【０００６】
前記リヤ側パネル基板３には、図５における右方に向かって端子部１５がフロント側パネル基板２の端面より延出形成されており、この端子部１５の上には、リード端子１６が前記リヤ側表示電極１２と連設して形成されている。
【０００７】
そして、前記端子１６の上には、異方性導電膜（ＡＣＦ）等の接続手段１７を介して液晶駆動用ＩＣ等の電子部品１８を搭載した可撓配線基板２０が接続されている。
【０００８】
さらに、前記両パネル基板２，３における各表示電極１１，１２の厚み方向の上側には、所定のラビング処理が施された配向膜２１が形成され、一方、両パネル基板２，３の厚み方向の外側には、図示はしないが、光の振動方向を規制する偏光板が配設されるようになっている。
【０００９】
ところで、従来から、このような液晶表示素子１においては、液晶表示素子１を筐体へ組み込む際や、保管場所に保管する際、あるいは、偏光板の保護膜を剥離する際等に、例えば、液晶表示素子１の外側表面に帯電した電荷によって引き起こされる静電誘導等の静電気の影響によって、両パネル基板２，３の非表示領域１３に電荷の帯電が生じてしまうことがあった。そして、この帯電によって、両パネル基板２，３の非表示領域１３の間に電位差が生じ、本来点灯を予定していない非表示領域１３が点灯してしまうといった問題が生じていた。
【００１０】
【特許文献１】
特開平１１−１５３８０６号公報
【００１１】
【発明が解決しようとする課題】
しかし、従来は、電荷の帯電を解消するために所定の時間を要し、非表示領域に帯電した電荷をすみやかに除去することが容易にできなかった。
【００１２】
本発明は、このような点に鑑みなされたもので、非表示領域に帯電する電荷を容易に除電でき表示不良のない良好な表示を実現することができる液晶表示素子およびその除電方法を提供することを目的とするものである。
【００１３】
【課題を解決するための手段】
前記目的を達成するため本発明の請求項１に係る液晶表示素子の特徴は、互いに対向する両内側表面における表示領域上に表示電極が形成された二枚のパネル基板がシールを介して互いに貼り合わされ、前記二枚のパネル基板および前記シールによって囲繞された空間内に液晶が封入され、一方のパネル基板に前記表示電極から引き出されたリード端子を有する端子部が形成され、前記端子部上に可撓配線基板が接続された液晶表示素子において、前記二枚のパネル基板の互いに対向する両内側表面上における非表示領域上に一対の除電用ダミー電極が形成され、前記端子部が形成された一方のパネル基板側の除電用ダミー電極の一部が前記端子部に延出されて、該端子部に接続された前記可撓配線基板と電気的に接続され、他方のパネル基板側の除電用ダミー電極は前記他方のパネル基板に形成された延出部にその一部が延出されるとともに、前記延出部に配設された除電手段と電気的に接続されている点にある。
【００１４】
そして、このような構成を採用したことにより、非表示領域に帯電した電荷をすみやかに除去することが可能となる。
【００１５】
請求項２に係る液晶表示素子の特徴は、請求項１において、前記除電手段は、可撓配線基板またはインターコネクタを備えた基板である点にある。
【００１６】
そして、このような構成を採用したことにより、さらに簡易な構成によって非表示領域に帯電した電荷を簡便に除去することが可能となる。
【００１７】
請求項３に係る液晶表示素子の除電方法の特徴は、互いに対向する両内側表面における表示領域上に表示電極が形成された二枚のパネル基板がシールを介して互いに貼り合わされ、前記二枚のパネル基板および前記シールによって囲繞された空間内に液晶が封入され、一方のパネル基板に前記表示電極から引き出されたリード端子を有する端子部が形成され、前記端子部上に可撓配線基板が電気的に接続された液晶表示素子に帯電した電荷の除去を行う液晶表示素子の除電方法において、前記二枚のパネル基板の互いに対向する両内側表面上における非表示領域上に、一対の除電用ダミー電極を形成し、前記端子部が形成された一方のパネル基板の除電用ダミー電極の一部を前記端子部に延出させて前記端子部に接続された前記可撓配線基板に電気的に接続させるとともに、他方のパネル基板の除電用ダミー電極の一部を前記他方のパネル基板に形成された延出部に延出させて該延出部に配設される除電手段に電気的に接続させる点にある。
【００１８】
そして、このような方法を採用したことにより、非表示領域に帯電した電荷を、
前記一対の除電用ダミー電極および各除電用ダミー電極に接続された前記可撓配線基板ならびに前記除電手段によってすみやかに除去することが可能となる。
【００１９】
請求項４に係る液晶表示素子の除電方法の特徴は、請求項３において、前記除電手段として、可撓配線基板またはインターコネクタを備えた基板を用いる点にある。
【００２０】
そして、このような方法を採用したことにより、さらに簡便な方法によって非表示領域に帯電した電荷を除去することが可能となる。
【００２１】
【発明の実施の形態】
以下、本発明に係る液晶表示素子およびその除電方法の実施形態について、図１乃至図４を参照して説明する。
【００２２】
なお、従来と基本的構成の同一もしくはこれに類する箇所については、同一の符号を用いて説明する。また、本明細書における除電とは、帯電した電荷を除去して帯電状態を解消することを指すものとする。
【００２３】
図１乃至図３に示すように、本実施形態における液晶表示素子２３は、フロント側パネル基板２４およびリヤ側パネル基板２５からなる二枚のパネル基板２４，２５の互いに対向する両内側表面における非表示領域１３の上に、この非表示領域１３に帯電した電荷を除去するための除電用フロント側ダミー電極２６と、除電用リヤ側ダミー電極２７とからなる一対の除電用ダミー電極２６，２７を有している。
【００２４】
図２に示すように、前記除電用リヤ側ダミー電極２７は、前記リヤ側表示電極１２を図２における両側方および下方の三方から囲繞するようにして、その平面形状が図２における上側に開口部が形成された略Ｕ字形状に形成されている。
【００２５】
図２における前記リヤ側表示電極１２の上端部からは、前記リード端子１６が前記端子部１５まで引き出されて延出形成されている。そして、前記リード端子１６は、前記端子部１５において前記リード端子１６と液晶駆動用ＩＣ等の電子部品１８を搭載した前記可撓配線基板２０とは電気的に接続されており、これによって、可撓配線基板２０とリヤ側表示電極１２との電気的な接続が図られている。
【００２６】
そして、本実施形態において、前記除電用リヤ側ダミー電極２７における前記端子部１５側の端部には、リード電極端子２７ａが接続され、前記端子部１５に延出して形成されており、このリード電極端子２７ａは、前記端子部１５において、前記可撓配線基板２０における接地部（グランド部）と電気的に接続されている。
【００２７】
これにより、リヤ側パネル基板２５の非表示領域１３が、外部からの影響によって帯電したとしても、この帯電によって生じた電荷を前記除電用リヤ側ダミー電極２７によって前記可撓配線基板２０の側へすみやかに逃がすことができる。
【００２８】
なお、前記除電用リヤ側ダミー電極２７の図２における右側近傍位置には、リヤ側のリード端子２９ｂと前記フロント側表示電極１１とを互いに導通させるためのトランスファ部２９が形成されている。このトランスファ部２９は、複数本のリード端子２９ｂを介して前記可撓配線基板２０に接続されている。
【００２９】
一方、図３に示すように、前記除電用フロント側ダミー電極２６は、前記フロント側表示電極１１を図３における上下および左方の三方から囲繞するようにして、その平面形状が図３における右側に開口部が形成された形状に形成されている。
【００３０】
この除電用フロント側ダミー電極２６と前記除電用リヤ側ダミー電極２７とは、両側パネル基板２４，２５が互いに重ね合わされた状態において、少なくとも１部を互いに対向させるようになっている。
【００３１】
前記フロント側パネル基板２４の図３における下端部には、前記リヤ側パネル基板２５の端面より延出した平面形状とされた延出部３０が、下方に向かって延出形成されている。
【００３２】
そして、前記除電用フロント側ダミー電極２６における図３の下端部には、前記除電用フロント側ダミー電極２６と接続されたリード電極端子２６ａが、前記延出部３０へ延出して形成されている。
【００３３】
そして、前記延出部３０において、前記リード電極端子２６ａは、除電手段としての可撓配線基板３１と異方性導電膜等の接続手段１７を介して電気的に接続されている。
【００３４】
これにより、フロント側パネル基板２４の非表示領域１３が、外部からの影響によって帯電したとしても、この帯電によって生じた電荷を、前記除電用フロント側ダミー電極２６によってすみやかに可撓配線基板３１側へ逃がすことができるようになっている。
【００３５】
なお、前記フロント側表示電極１１の図３における右側には、フロント側表示電極１１と前記リヤ側パネル基板２５に配設され可撓配線基板２０とを導通させるための前記トランスファ部２９が形成されている。このトランスファ部２９は、複数本のフロント側引き回し配線２９ａを介して前記フロント側表示電極１１に接続されている。
【００３６】
次に、本発明に係る液晶表示素子の除電方法の実施形態について説明する。
【００３７】
本実施形態における除電方法に用いられる液晶表示素子は、前述のように、前記リヤ側パネル基板２５の非表示領域１３に前記除電用リヤ側ダミー電極２７が形成され、この除電用リヤ側ダミー電極２７が、前記端子部１５に電気的に接続された可撓配線基板２０における接地部と接続され、かつ、前記フロント側パネル基板２４の非表示領域１３に前記除電用フロント側ダミー電極２６が形成され、この除電用フロント側ダミー電極２６を、前記延出部３０上に接続された除電手段としての可撓配線基板３１における接地部に接続されることによって形成されている。
【００３８】
そして、このように形成した液晶表示素子２３を用いれば、前記リヤ側パネル基板２５の非表示領域１３に、外部からの影響によって帯電が生じても、この帯電による電荷は、前記リヤ側パネル基板２５の非表示領域１３に形成された前記除電用リヤ側ダミー電極２７を介して前記端子部１５に電気的に接続された可撓配線基板２０へ即時に移動する。
【００３９】
これにより、前記リヤ側パネル基板２５の非表示領域１３の帯電状態をすみやかに解消することができる。
【００４０】
これに平行して、前記フロント側パネル基板２４の非表示領域１３に、外部からの影響によって帯電が生じた場合、この帯電による電荷は、前記フロント側パネル基板２４の非表示領域１３に形成された前記除電用フロント側ダミー電極２７を介して前記延出部３０に電気的に接続された可撓配線基板３１へ即時に移動する。
【００４１】
これにより、前記フロント側パネル基板２４の非表示領域１３の帯電状態をすみやかに解消することができる。
【００４２】
したがって、本実施形態によれば、前記除電用リヤ側ダミー電極２７およびこの除電用リヤ側ダミー電極２７に接続された可撓配線基板２０と、前記除電用フロント側ダミー電極２６およびこの除電用フロント側ダミー電極２６に接続された除電手段としての可撓配線基板３１とによって、非表示領域１３の帯電状態を即時に解消することができ、この結果、非表示領域１３の異常点灯を防止することができる。
【００４３】
なお、本発明は前記実施形態のものに限定されるものではなく、必要に応じて種々変更することが可能である。
【００４４】
たとえば、前記実施形態においては、前記除電用フロント側ダミー電極２６に接続される除電手段として、前記可撓配線基板３１を採用していたが、この可撓配線基板３１の替わりに、図４に示すようなインターコネクタ３２を備えた接地部を有する基板３３を前記延出部３０と電気的に接続するようにしてもよい。
【００４５】
この場合においても、前記可撓配線基板３１の場合と同様に、前記フロント側パネル基板２４の非表示領域１３に帯電した電荷を基板３３側へ即時に逃がすことができ、フロント側パネル基板２４の非表示領域１３をすみやかに除電することができる。
【００４６】
さらに、前記実施形態においては、前記除電手段を接続するための前記延出部３０を、前記フロント側パネル基板２４の、前記端子部１５に対して平面において対向する一端部側に形成しているが、これに限る必要はなく、前記延出部を前記フロント側パネル基板の他の３つの端部側のいずれかに形成するようにしてもよい。
【００４７】
【発明の効果】
以上述べたように、本発明の請求項１に係る液晶表示素子によれば、非表示領域の帯電状態をすみやかに解消することができ、非表示領域の異常点灯を防止することができる。これによって、点灯不良のない高品位な液晶表示を実現することができる。
【００４８】
請求項２に係る液晶表示素子によれば、請求項１に係る液晶表示素子の効果に加えて、より安価にかつ効率的に非表示領域の帯電状態を解消することができる。
【００４９】
請求項３に係る液晶表示素子の除電方法によれば、非表示領域の帯電状態を簡便かつ迅速に解消して非表示領域の異常点灯を防止することができ、これによって、表示品位に優れた液晶表示素子を得ることができる。
【００５０】
請求項４に係る液晶表示素子の除電方法によれば、請求項３に係る液晶表示素子の除電方法の効果に加えて、表示品位に優れた液晶表示素子をより安価に得ることができる。
【図面の簡単な説明】
【図１】本発明に係る液晶表示素子の実施形態を模式的に示した概略断面図
【図２】本発明に係る液晶表示素子の実施形態において、リヤ側パネル基板の構成を示した概略平面図
【図３】本発明に係る液晶表示素子の実施形態において、フロント側パネル基板の構成を示した概略平面図
【図４】本発明に係る液晶表示素子の実施形態において、図１と異なる他の実施形態を模式的に示した概略断面図
【図５】従来から採用されていた液晶表示素子を示した概略断面図
【符号の説明】
４  シール
５  液晶
９  表示領域
１１  フロント側表示電極
１２  リヤ側表示電極
１３  非表示領域
１５  端子部
１６  リード端子
１７  接続手段
１８  液晶駆動用ＩＣ
２０  可撓配線基板
２３  液晶表示素子
２４  フロント側パネル基板
２５  リヤ側パネル基板
２６  除電用フロント側ダミー電極
２６ａ  リード端子
２７  除電用リヤ側ダミー電極
２７ａ  リード端子
３０  延出部
３１  可撓配線基板
３２  インターコネクタ
３３  基板
【図１】
2004233890.tif 000003
【図２】
2004233890.tif 000004
【図３】
2004233890.tif 000005
【図４】
2004233890.tif 000006
【図５】
2004233890.tif 000007